(57)【要約】【課題】紙面上の問題を解決し、かつ利用者に手軽にアクセス可能にした印刷物に対する２次情報提供方法を提供する。【解決手段】２次情報を提供する方法は、情報の提供を受ける利用者が使用するカメラ付き移動通信端末２にインターネット３を通じて行われる。印刷物４に掲載され、前記提供される２次情報へのリンク情報が人間に不可視の状態で埋め込まれている画像２１を撮影した画像情報を前記移動通信端末２からサーバ３へ送信し、サーバ３が前記受信した画像情報を解析し、前記リンク情報２１ｃを読み出し、前記画像情報を送信した移動通信端末２に送信する。前記移動通信端末２は前記送信されたリンク情報から前記２次情報へアクセスする。【選択図】　図２
2004133698.tif 000002
【特許請求の範囲】
【請求項１】
情報の提供を受ける利用者が使用するカメラ付き移動通信端末にインターネットを通じて印刷物に対する２次情報を提供する方法であって、
前記印刷物に掲載され、前記提供される２次情報へのリンク情報が人間に不可視の状態で埋め込まれている画像を撮影した画像情報を前記移動通信端末からサーバが受信するステップと、
前記受信した画像情報を解析し、前記リンク情報を読み出すステップと、
前記読み出されたリンク情報を前記画像情報を送信した移動通信端末に送信するステップと、
前記移動通信端末が前記送信されたリンク情報から前記２次情報へアクセスするステップとを含むことを特徴とする、２次情報提供方法。
【請求項２】
請求項１に記載の２次情報提供方法において用いられる印刷物であって、前記提供される２次情報へのリンク情報が人間に不可視の状態で埋め込まれている画像と、前記サーバへの接続先に関する情報とが掲載されていることを特徴とする印刷物。
【請求項３】
前記印刷物は、雑誌又はカタログであることを特徴とする、請求項２に記載の印刷物。
【請求項４】
カメラ付きの移動通信端末と、前記移動通信端末にインターネットを通じて印刷物に対する２次情報の送信を行うサーバであって、
前記印刷物に掲載され、前記提供される２次情報へのリンク情報が人間に不可視の状態で埋め込まれている画像を撮影した画像情報を前記移動通信端末から受信する画像情報受信部と、
前記受信した画像情報を解析し、前記リンク情報を読み出す画像情報解析部と、
前記読み出されたリンク情報を前記画像情報を送信した移動通信端末に送信する送信部と、を備えることを特徴とするサーバ。
【発明の詳細な説明】
【０００１】
【発明の属する技術分野】
本発明は、雑誌、カタログなどの印刷物に関して、インターネットを通じてより詳細な２次情報を提供する方法に関する。
【０００２】
【従来の技術】
従来、雑誌又はカタログなどに掲載されている広告に関して、インターネットを通じてより詳細な２次情報を提供するようになされているものが存在する。
【０００３】
例えば、雑誌、カタログなどの印刷物の広告欄に、当該広告の商品について、より詳細な２次情報を掲載するｗｅｂサイトのＵＲＬや当該ＵＲＬの情報をバーコードなどの別情報に変換したものが印刷されており、雑誌、カタログの閲覧者が、自己のパソコンを通じて当該ＵＲＬにアクセスすることにより情報を得るようにした仕組みが存在する。
【０００４】
しかし、この仕組みにおいて用いられる印刷物では、雑誌の印刷面にＵＲＬなどが視覚的に表示されているため、デザイン上の体裁を損ねるという問題がある。また、特に雑誌などでは、ページ数などが予め決まっているため、紙面にこのような情報を掲載することにより、本来の情報量を少なくせざるを得ないという問題につながることになる。
【０００５】
また、これらの情報を手入力により行う必要があり、そのための手間を要する。一方、バーコードなどを用いる場合は、バーコードリーダなどの専用の装置を用いて行う必要がある。しかし、雑誌やカタログを閲覧者が見るときに、必ずしもそのような装置がそばにあるとは限らず、別の機会に改めてアクセスする必要があった。
【０００６】
このような入力の手間及びデザイン上の体裁を損ねるという問題は、利用者に２次的な情報にアクセスする機会を遠ざけ、広告主の立場からみれば、必ずしも有利な広告形態となるものではなかった。
【０００７】
【特許文献１】
特開２０００−３３９２５６号公報
【特許文献２】
特開２０００−１３２４８５号公報
【０００８】
【発明が解決しようとする課題】
したがって、本発明が解決しようとする技術的課題は、紙面上の問題を解決し、かつ利用者に手軽にアクセス可能にした２次情報提供方法及びその方法において用いられる装置、印刷物を提供することである。
【０００９】
【課題を解決するための手段】
本発明は、上記技術的課題を解決するために、情報の提供を受ける利用者が使用するカメラ付き移動通信端末にインターネットを通じて印刷物に対する２次情報を提供する方法であって、印刷物に掲載され、前記提供される２次情報へのリンク情報が人間に不可視の状態で埋め込まれている画像を撮影した画像情報を前記移動通信端末からサーバが受信するステップと、前記受信した画像情報を解析し、前記リンク情報を読み出すステップと、前記読み出されたリンク情報を前記画像情報を送信した移動通信端末に送信するステップと、前記移動通信端末が前記送信されたリンク情報から前記２次情報へアクセスするステップとを含むことを特徴とする、２次情報提供方法を提供する。
【００１０】
上記方法において、カメラ付き移動通信端末は、例えば、カメラ付きの携帯電話やＰＤＡなどが該当する。カメラは、当該端末と一体的に設けられていてもよいし、別装置を接続して用いてもよい。また、移動通信端末は、インターネットを通じて情報の提供を受けるため、インターネットに接続することができるものであることが必要となる。
【００１１】
雑誌、カタログなどの印刷物には画像が掲載されている。画像には、電子透かしなどの手法により、人間に不可視の状態でリンク情報が埋め込まれている。移動通信端末の利用者は、当該端末を用いて、印刷物に掲載されている画像を撮影し、画像情報としてサーバに送信する。この画像情報を受信したサーバは、当該画像情報を解析し、埋め込まれているリンク情報を読み出す。リンク情報としては、直接２次情報へのＵＲＬでもよいし、サーバが所有する情報によりＵＲＬを決定することができるような情報であってもよい。このような情報をリンク情報とすることにより、ＵＲＬを直接リンク情報とするよりもリンク情報の情報量を少なくすることができ、より高精度に解析することができる。
【００１２】
サーバは、読み出されたリンク情報を、当該移動通信端末に送信する。利用者は、当該情報を用いて、２次情報が掲載されているｗｅｂサイトにアクセスし、情報の提供を受けることができる。
【００１３】
上記方法によれば、カメラ付きの移動通信端末を用いて、雑誌の該当部分を撮影するだけで容易に２次情報を得ることができる。すなわち、移動通信端末を用いるため、利用場所に制限されることがない。また、画像情報を受信したサーバが画像情報を解析してリンク情報を移動通信端末に送信してくるため、移動通信端末に特別の機能を設ける必要がない。さらに、画像は、リンク情報が人間に不可視の状態で埋め込まれているため、紙面のデザイン上の体裁を損なうことがないため、紙面上の問題を解決することができる。したがって、本発明を雑誌などの広告ページに利用することにより、紙媒体の価値を上げることができる。
【００１４】
また、本発明は、提供される２次情報へのリンク情報が人間に不可視の状態で埋め込まれている画像と、前記サーバーへの接続先に関するアクセス情報とが掲載されていることを特徴とする印刷物を提供する。
【００１５】
また、本発明は、カメラ付きの移動通信端末と、前記移動通信端末にインターネットを通じて印刷物に対する２次情報の送信を行うサーバであって、印刷物に掲載され、前記提供される２次情報へのリンク情報が人間に不可視の状態で埋め込まれている画像を撮影した画像情報を前記移動通信端末から受信する画像情報受信部と、前記受信した画像情報を解析し、前記リンク情報を読み出す画像情報解析部と、前記読み出されたリンク情報を前記画像情報を送信した移動通信端末に送信する送信部と、を備えることを特徴とするサーバを提供する。
【００１６】
【発明の実施の形態】
以下、本発明の一実施形態に係る２次情報提供システムについて、図面を参照しながら説明する。
【００１７】
図１は、本発明に係る２次情報提供方法において使用されるネットワークシステムの構成図である。本システムは、ｗｅｂサーバ１と、当該ｗｅｂサーバ１とインターネット３とを通して通信可能なカメラ付きの携帯電話やＰＤＡなどの移動通信端末２とで構成される。カメラは移動通信端末と一体的に設けられているものであってもよいし、別の装置から構成され、移動通信端末と接続されているものであってもよい。
【００１８】
移動通信端末２は、インターネット３を通じて行われるデータ送受信の機能を備えていることが必要である。
【００１９】
ｗｅｂサーバ１は、本発明に係る２次情報提供方法を実現するために、図１に示したような構造を有する。すなわち、ネットワークを通じて移動通信端末との情報の送受信を司る送受信部１１と、ｗｅｂサーバ１全体の処理を司る制御演算部１２と、アクセス情報データベース１３と、システムプログラム１４とを備える。制御演算部１２には、画像を解析するための画像解析部１２ａが設けられている。
【００２０】
図２は、本実施形態に係る２次情報配信システムの処理の流れを示す説明図である。本実施形態に係る２次情報配信システムは、雑誌やカタログなどの印刷物４に掲載されている情報に関するより詳細な情報を提供するためのものである。
【００２１】
本システムにおいて用いられる雑誌やカタログなどの印刷物には、商品の写真、イラスト、あるいは説明文など、商品に関する画像が印刷されている。そして、商品に関する画像には、電子透かしを利用した人間に不可視の情報が埋め込まれている。電子透かしにより画像に情報を埋め込むには、公知の方法を用いることができる。例えば、特開２００１−１２６０４６に記載の方法などを用いることができる。
【００２２】
利用者は、不可視の情報が埋め込まれている画像を移動通信端末２を用いて撮影する。移動通信端末には、この画像が電子データとしてとりこまれた画像情報が作成される。利用者は、この画像情報をｗｅｂサーバ１に送信する。
【００２３】
ｗｅｂサーバ１は、移動通信端末から送信された画像情報を解析し、当該商品の詳細情報が掲載されているｗｅｂページのＵＲＬを読み取り、移動通信端末に配信する。移動通信端末２は、ｗｅｂサーバ１から送られてきたＵＲＬによりｗｅｂページを参照することができ、商品に関連する情報を得ることができる。
【００２４】
図３は、上記２次情報配信システムにおけるｗｅｂサーバの処理の流れを示すフロー図である。上記処理を行うにあたっての前提として、図４に示すように、雑誌又はカタログ４の紙面４ａには、人間に視認できない情報が埋め込まれている画像２１、情報が埋め込まれていない画像２２、文字情報２３が掲載されており、移動通信端末２は、情報が埋め込まれている画像についてカメラを用いて撮影する。
【００２５】
画像に埋め込まれている情報は視認することができないため、雑誌又はカタログ４の読者がこれらの画像を判別することができるようにしておくことが必要である。本実施形態では、情報が埋め込まれている画像については、その端部にそのことを示すマークを付している。すなわち、図５に示すように、情報が埋め込まれている画像２１は、商品の広告領域２１ｂの一部に、視認できない情報が埋め込まれていることを示す星印のマーク２１ａが付されている。よって、雑誌又はカタログ４の読者は、この星印がついている画像を撮影することによって、インターネットを通じて、２次情報が得られることを判別することができる。
【００２６】
また、雑誌又はカタログ４の裏表紙４ｂには、カメラを用いて撮影した画像情報を送信する送信先に関する情報２４が掲載されている。利用者は、当該送信先に関する情報２４に掲載されている送信先に画像情報を送信する。ｗｅｂサーバ１は、雑誌又はカタログの画像を撮影した移動通信端末２から画像情報を受信する（＃１０）。
【００２７】
ｗｅｂサーバ１は、受信した画像情報を解析する（＃１１）。画像情報の解析は、ｗｅｂサーバ１の画像解析部１２ａが行う。
【００２８】
画像解析部１２ａは、まず、画像情報に埋め込まれている情報を読み出す。画像情報に埋め込まれている情報は、図６に示すように、画像情報２１の一部として認識されているため、これを識別可能な文字情報からなる識別コードに変換する。識別コード２１ｃは、画像情報２１の広告領域２１ｂの一部に設けられており、雑誌番号、号、画像番号の各情報が組み合わさって構成されている。
【００２９】
ｗｅｂサーバ１は、図７に示すような構造を有するアクセス情報データベース１３に格納されている書籍番号１３ａ、号１３ｂ、画像番号１３ｃの各情報と識別コード２１ｃとの各情報とを比較し、上述の処理において移動通信端末から送信されてきた画像情報がどの情報であるかを解析する。
【００３０】
解析できない場合は、移動通信端末にエラー表示を送信し（＃１３）、処理を終了する。
【００３１】
一方、解析できた場合は、当該識別コードに対応するアクセス情報データベース１３のＵＲＬ情報１３ｄを検索し（＃１４）、この情報を移動通信端末に送信する（＃１５）。
【００３２】
ＵＲＬ情報を受信した移動通信端末２の利用者は、受信したＵＲＬ情報を利用して、インターネットのｗｅｂページにアクセスする。
【００３３】
以上説明したように、本実施形態に係る２次情報提供システムによれば、雑誌又はカタログなどの印刷物の読者は、移動通信端末を用いて場所を選ばずに２次情報の提供を受けることができる。そして、その情報の入力方法として、手入力ではなく、画像をカメラで撮影するという容易な操作で行うことができるため、情報の提供を求めることが容易であり、その結果、紙媒体の付加価値を高めることができる。
【００３４】
また、雑誌又はカタログなどの印刷物に掲載されている画像は、リンク情報が人間に不可視の状態で埋め込まれているため、紙面のデザイン上の体裁を損なうことがない。よって、紙面上の問題も解決することができる。
【００３５】
なお、本発明は上記実施形態に限定されるものではなく、その他種々の態様で実施可能である。
【００３６】
例えば、雑誌に人間に不可視の状態で埋め込まれるリンク情報は、２次情報を掲載しているｗｅｂページのＵＲＬそのものであってもよい。この場合は、ｗｅｂサーバにアクセス情報データベースを設けなくても、移動通信端末に対して情報の提供を行うことができる。
【図面の簡単な説明】
【図１】本発明に係る２次情報提供方法において使用されるネットワークシステムの構成図である。
【図２】本実施形態に係る２次情報配信システムの処理の流れを示す説明図である。
【図３】２次情報配信システムにおけるｗｅｂサーバの処理の流れを示すフロー図である。
【図４】図１に係るシステムにおいて用いられる雑誌を示す図である。
【図５】図４の雑誌の画像を示す図である。
【図６】図５の画像の認識コードを擬似的に表示した図である。
【図７】図１にかかるシステムのｗｅｂサーバのアクセス情報データベースの構造を示す図である。
【符号の説明】
１　ｗｅｂサーバ
２　移動通信端末
３　インターネット
４　雑誌
１１　送受信部
１２　制御演算部
１３　アクセス情報データベース
１４　システムプログラム
【図１】
2004133698.tif 000003
【図２】
2004133698.tif 000004
【図３】
2004133698.tif 000005
【図４】
2004133698.tif 000006
【図５】
2004133698.tif 000007
【図６】
2004133698.tif 000008
【図７】
2004133698.tif 000009